(57)【要約】      （修正有）【課題】菱形金網の撓み変形を確実に防止できて、組立作業と解体作業を少人数で簡単に行える簡易防獣柵を提供する。【解決手段】複数の支柱ユニット１０と、隣り合う支柱ユニット１０の上部間に掛け渡した胴縁竿２０と、複数の列線を巻き掛けて形成した菱形金網３０とを具備し、菱形金網の最上辺の巻線の厚さを他の巻線の厚さより大きく形成し、菱形金網の最上辺の網目に挿通した胴縁竿の両端部を、隣り合う一対の支柱ユニットの間に横架し、支柱本体の上部に形成した余長部１４の頭部と胴縁竿２０の中間部との間にブレース４０を張設する。【選択図】図１
0003203468.tif 000002
【実用新案登録請求の範囲】
【請求項１】
所定の間隔を隔てて立設した複数の支柱ユニットと、隣り合う支柱ユニットの上部間に掛け渡した胴縁竿と、複数の列線を巻き掛けて形成し、前記胴縁竿に垂下させて展張した菱形金網とを具備した簡易防獣柵であって、
前記菱形金網の最上辺の巻線の厚さを他の巻線の厚さより大きく形成し、
前記菱形金網の最上辺の網目に挿通した胴縁竿の両端部を、隣り合う一対の支柱ユニット間に横架したことを特徴とする、
簡易防獣柵。
【請求項２】
前記支柱ユニットが地中に打設する芯杭と、芯杭に外装する支柱本体とにより構成することを特徴とする、請求項１に記載の簡易防獣柵。
【請求項３】
前記支柱本体の上部に余長部を形成し、該余長部の頭部に設けたブレース連結手段と胴縁竿の中間部との間にブレースを張設したことを特徴とする、請求項２に記載の簡易防獣柵。
【請求項４】
胴縁竿の端部を載置して拘束する掛止ブラケットをさらに含み、前記掛止ブラケットを支柱本体に着脱可能にボルト止めしたことを特徴とする、請求項３に記載の簡易防獣柵。
【請求項５】
前記掛止ブラケットは胴縁竿の上向きの変位を拘束するボルトを含み、掛止ブラケットに載置した胴縁竿の上方に前記ボルトを横断させて取り付けたことを特徴とする、請求項４に記載の簡易防獣柵。
【請求項６】
前記掛止ブラケットは胴縁竿の横方向の変位を拘束するピアスビスをさらに含み、掛止ブラケットに貫挿した前記ピアスビスを掛止ブラケットに載置した胴縁竿にねじ込んで固定したことを特徴とする、請求項５に記載の簡易防獣柵。
【請求項７】
前記菱形金網は、垂直方向に展張した展張部と、地表に敷設する敷設部とを有することを特徴とする、請求項１に記載の簡易防獣柵。
【考案の詳細な説明】
【技術分野】
【０００１】
本考案は解体移設が可能な簡易防獣柵に関する。
【背景技術】
【０００２】
支柱間にネット材を横架して野生動物や人等の侵入を防止する防獣柵としては、例えば、ネット材に耐久性の高い溶接金網をフェンス張りした防獣柵（特許文献１）、ネット材に菱形金網を用いた防獣柵（特許文献２）等の防獣柵が知られている。
例えばネット材が溶接金網である場合は、溶接金網の縁部に胴縁フレームを設け、ボルト、ナットにより胴縁フレームを支柱に固定連結し、またネット材が菱形金網の場合は支柱の上部間と下部間にそれぞれ胴縁を横架し、これら上下の胴縁に菱形金網の上下辺を連結している。
ネット材が菱形金網である場合は、ロール状に巻き取られた菱形金網を柵の延長方向（横方向）に展開し、支柱の上部間および下部間に横架した胴縁材に菱形金網の上下辺を固定して組み立てている。
【先行技術文献】
【特許文献】
【０００３】
【特許文献１】実用新案登録第３０７７７９３号公報
【特許文献２】実開昭５４−１５８４５０号公報
【考案の概要】
【考案が解決しようとする課題】
【０００４】
防獣柵にはつぎのような解決すべき課題がある。
＜１＞ネット材に溶接金網を用いた場合には、溶接金網の取り付けに胴縁フレームや多数のボルト、ナット等の多くの取付金具を必要として、溶接金網の取付けに多くの費用と時間がかかる。
＜２＞ネット材に菱形金網を用いた場合は、金網の展張作業に２人以上の作業員を必要とするだけでなく、金網の端部処理加工が必要である。
＜３＞菱形金網の網目に胴縁材を挿通させた防獣柵にあっては、菱形金網に挿通できる胴縁材の断面径が菱形金網の厚さ（１２〜１６ｍｍ）の制約を受けて、断面が大きく剛性の高い胴縁材を使用できない。
そのため、支柱間隔を狭くしないと胴縁材として機能せず、支柱間隔を広げると胴縁材が下方へ向けて撓み変形し易くなる。
特に、冬季において冠雪すると、胴縁材の負担荷重が増えて胴縁材の撓み変形量が増し、最悪は胴縁材が破断する。
また野生動物が菱形金網をよじ登ろうとした場合も、胴縁材に大きな撓み力が作用する。
胴縁材が大きく撓み変形したり、破断したりすると防獣柵としての機能を喪失する。
＜４＞支柱として市販の鋼管を用いると、資材コストを削減できるものの、鋼管を地中に直接打ち込む際に鋼管が座屈変形を引き起こし、また重力式のコンクリート基礎に鋼管の下半を埋設すると、鋼管の座屈を防止できるものの、コンクリート基礎の構築コストが嵩むといった問題がある。
＜５＞防獣柵用の支柱はその全長に亘って中空単管構造であるため、支柱の裾部に応力が集中して強度的弱点となる。
【０００５】
本考案は以上の点に鑑みて成されたもので、その目的とするところは、つぎの簡易防獣柵を提供することにある。
＜１＞菱形金網の撓み変形を確実に防止できること。
＜２＞簡易防獣柵の組立作業と解体作業を少人数で簡単に行えること。
【課題を解決するための手段】
【０００６】
本考案は所定の間隔を隔てて立設した複数の支柱ユニットと、隣り合う支柱ユニットの上部間に掛け渡した胴縁竿と、複数の列線を巻き掛けて形成し、前記胴縁竿に垂下させて展張した菱形金網とを具備した簡易防獣柵であって、前記菱形金網の最上辺の巻線の厚さを他の巻線の厚さより大きく形成し、前記菱形金網の最上辺の網目に挿通した胴縁竿の両端部を、隣り合う一対の支柱ユニット間に横架した。
本考案の他の形態において、前記支柱ユニットは地中に打設する芯杭と、芯杭に外装する支柱本体とにより構成する。
本考案の他の形態において、前記支柱本体の上部に余長部を形成し、該余長部の頭部に設けたブレース連結手段と胴縁竿の中間部との間にブレースを張設して、胴縁竿の撓み変形を防止するようにしてもよい。
本考案の他の形態において、前記支柱本体に対してブレースを接続するための連結手段と、前記支柱本体に対してブレースを接続するための連結ステーさらに含み、前記掛止ブラケットを支柱本体に着脱可能にボルト止めするとよい。
本考案の他の形態において、前記掛止ブラケットは胴縁竿の上向きの変位を拘束するボルトをさらに含み、掛止ブラケットに載置した胴縁竿の上方に前記ボルトを横断させて取り付けるとよい。
本考案の他の形態において、前記掛止ブラケットは胴縁竿の横方向の変位を拘束するピアスビスを含み、掛止ブラケットに貫挿した前記ピアスビスを掛止ブラケットに載置した胴縁竿にねじ込んで固定してもよい。
本考案の他の形態において、前記菱形金網は、垂直方向に展張した展張部と、地表に敷設する敷設部とを有する。
【考案の効果】
【０００７】
本考案は少なくとも次のひとつの効果を有する。
＜１＞菱形金網の上辺を剛性の高い胴縁竿で支持すると共に、胴縁竿の中央をブレースで吊り上げている。
そのため、冬季に菱形金網に冠雪した場合や菱形金網に野生動物が登り上がろうとしても、菱形金網の撓み変形を確実に防止することができる。
＜２＞菱形金網を胴縁竿から横向きに吊下げて展張するため、菱形金網が自重で下方へ広がる。また、菱形金網の網目を利用して胴縁竿を配置できるので、菱形金網の端部を巻き付け処理する必要がない。
そのため、簡易防獣柵の組立作業と解体作業を少人数で簡単に行うことができる。
＜３＞菱形金網の下方へ向けた撓み変形を防止できるから、防獣機能を長期間に亘って保証できる。
＜４＞菱形金網の敷設部を地表に敷設したことで、野生動物が穴を掘って潜り抜けることができない。
＜５＞支柱ユニットの応力が最も集中する部位を、支柱本体と芯杭の二重構造にして補強できるので、支柱ユニットの径を小径にできて経済的である。
＜６＞支柱本体の下端を地中に貫入して立設すると、地表面の不陸を解消するための整地作業が必要ない。
＜７＞芯杭がガイド機能を発揮するので、支柱本体を芯杭に外装するだけで支柱本体を簡単に立設できる。
＜８＞支柱本体の下端部が芯杭で塞がれるため、支柱本体の内部に土砂等が入り込まない。そのため、支柱本体を芯杭から撤去した後に支柱本体を何度でも転用できる。
【図面の簡単な説明】
【０００８】
【図１】本考案の実施例１に係る一部を省略した簡易防獣柵の斜視図
【図２】一部を省略した簡易防獣柵の正面図
【図３】図２におけるIII−IIIの断面図
【図４】一部を省略した支柱の説明図
【図５】ブレースの取付形態の説明図
【図６】掛止ブラケットの取付形態の説明図
【図７】胴縁竿を菱形金網の網目に挿通した菱形金網の上部の説明図
【図８】本考案の実施例２に係る掛止ブラケットの取付形態の説明図
【考案を実施するための形態】
【０００９】
以下に図面を参照しながら本考案について詳細に説明する。
【実施例１】
【００１０】
＜１＞簡易防獣柵の概要
図１，２を参照して説明すると、本考案に係る簡易防獣柵は、所定の間隔を隔てて立設した複数の支柱ユニット１０と、隣り合う支柱ユニット１０、１０の上部間に掛け渡した胴縁竿２０と、胴縁竿２０に上辺の網目を挿通させて垂下した菱形金網３０と、隣り合う各支柱ユニット１０、１０の頂部と胴縁竿２０の中央との間に斜めに張設したブレース４０とを具備する。
【００１１】
＜２＞支柱ユニット
支柱ユニット１０は地中に打設する芯杭１１と、芯杭１１に外装する支柱本体１２とにより構成する。
【００１２】
＜２．１＞芯杭
図４を参照して説明すると、芯杭１１は支柱本体１２に内接して挿入可能な金属製の杭体であり、支柱本体１２との挿入を容易にするため杭上部がテーパ状を呈している。
【００１３】
＜２．２＞支柱本体
支柱本体１２は芯杭１１に外装可能な中空管で、例えば市販の鋼管を使用できる。
支柱本体１２の全長は菱形金網３０の全高より長く形成してある。これは、菱形金網３０を支柱ユニット１０間に取り付けたときに、菱形金網３０の上辺から支柱本体１２が上方へ突出させた範囲に余長部１４を形成するためである。
【００１４】
＜２．２．１＞余長部
余長部１４はブレース４０を介して胴縁竿２０より高い位置で胴縁竿２０を支持する部位である。
余長部１４の全長は、支柱ユニット１０のスパン長を考慮して適宜選択する。
【００１５】
＜２．２．２＞ブレースの連結手段
余長部１４の頭部にはブレース４０の端部を接続するための支承ボルト５０が座金５１とナット５２を介して取り付けてある。
本例では余長部１４の頭部に支承ボルト５０を貫通して設け、支承ボルト５０の露出したボルト軸に座金５１を挿通してナット５２を螺着するだけである。
支承ボルト５０の露出したボルト軸に各ブレース４０，４０の端部を巻き掛けて連結する。
ボルト軸に巻き掛けた各ブレース４０，４０はその端部が座金５１に当接することで支承ボルト５０からの外れが阻止される。
【００１６】
＜２．２．３＞胴縁竿の取付手段
支柱本体１２は支承ボルト５０の取付位置より下方の位置に取り付ける掛止ブラケット１６を具備する。
図６に例示した係止ブラケット１６は、帯板をコ字形に形成したブラケットであり、水平面１６ｂと、水平面１６ｂの両端部から直角に曲がった一対の起立面１６ｃ，１６ｄとを有する。
一対の起立面１６ｃ，１６ｄには同軸線上にボルト穴が設けてある。
【００１７】
支柱本体１２および掛止ブラケット１６の一方の起立片１６ｄに取付ボルト５３を貫挿し、一方の起立片１６ｄの内側に突出する取付ボルト５３にナット５４を螺着して、掛止ブラケット１６を支柱本体１２にボルト止めする。
開放された上口を通じて掛止ブラケット１６の水平面１６ｂに２本の胴縁竿２０，２０を載置する。
掛止ブラケット１６の上口が開放されたままであると、胴縁竿２０，２０が上方へ外れるおそれがある。
そこで、掛止ブラケット１６の他方の起立面１６ｃの外方から閉鎖ボルト５５を挿通し、閉鎖ボルト５５のボルト軸を長ナット５４に螺着して掛止ブラケット１６の上口を閉鎖する。
長ナット５４を共有して同軸線上に位置する取付ボルト５３と閉鎖ボルト５５は、協働して、胴縁竿２０，２０の上方へ向けて変位を拘束する。
【００１８】
＜２．２．４＞連結ステーと掛止ブラケットの取着手段
掛止ブラケット１６を予め支柱本体１２に溶接しておくと、保管時や搬送中に掛止ブラケット１６等が変形するおそれがあり、これらの突起物があると支柱本体１２の取扱いにも不便である。
そこで、これらの不具合を解消するため、支柱本体１２に対して掛止ブラケット１６を着脱可能に構成し、現場でボルト止めするようにした。
【００１９】
＜３＞菱形金網
図３を参照して説明すると、菱形金網３０は横向きにした複数の列線を巻き掛けて形成した公知の金網であり、垂直方向に展張した展張部３３と、地表に敷設する敷設部３４とを有する。
展張部３３の高さは野生動物等の種類に応じて適宜選択し、菱形金網３０の横幅は支柱ユニット１０のスパン長より僅かに長い寸法を有する。
尚、菱形金網３０には列線の端部撚り合せた完全ナックル加工を施したものを用いるとよい。
【００２０】
＜３．１＞菱形金網の展張方向
従来はロール状に巻き取られた菱形金網を柵の延長方向（横方向）に展張していたが、本考案でロール状に巻き取られた菱形金網３０を柵の縦方向に展張するようにした。
これは菱形金網３０の展張作業を省力化するためである。
【００２１】
＜３．２＞菱形金網の厚さ
本例で使用する菱形金網３０は、らせん状を呈するすべての列線の厚さが均一ではない。
図７を参照して説明すると、菱形金網３０は厚さの異なる二種類の列線３１，３２で編成してあり、菱形金網３０の最上辺に位置する列線３１の厚さＴ１が、菱形金網３０の大半を構成する列線３２の厚さＴ２をと比較して大きい寸法関係にある。
二種類の列線３１，３２は、厚さのみが相違するだけであり、ピッチや網目寸法は同一である。
菱形金網３０を二種類の列線３１，３２で編成したのは、菱形金網３０の最上辺に位置するらせん状の列線３１の網目内に断面径の大きな胴縁竿２０を挿通させるためである。
【００２２】
＜４＞胴縁竿
胴縁竿２０は菱形金網３０を垂下する剛性材で、隣り合う２本の支柱ユニット１０，１０の掛止ブラケット１６間に横架可能な全長を有する。
菱形金網３０の最上辺に位置するらせん状の列線３１が大径に形成してあることで、胴縁竿２０として大径で曲げ剛性の大きな鋼管、鋼棒、帯板等を使用できる。
胴縁竿２０の断面形は円形に限定されず、矩形であってもよい。
【００２３】
＜５＞ブレース
プレース４０は各支柱ユニット１０の頭部の支承ボルト５０と胴縁竿２０の中央部の間に張設して胴縁竿２０の撓み変形を抑制する吊り材で、例えば引張耐力に優れた鋼線やロープ材等を使用できる。
ブレース４０は隣り合う支柱ユニット１０，１０間をＶ字形に繋ぐ全長を有する一本ものに限定されず、各支柱ユニット１０と胴縁竿２０の中央部との間を繋ぐ長さの２本のブレース４０，４０の組み合わせでもよい。
【００２４】
つぎに簡易防獣柵の構築方法について説明する。
【００２５】
＜１＞支柱ユニットの立設
図４に示すように、支柱ユニット１０の立設位置に所定の深さまで芯杭１１を打ち込み、芯杭１１の１／３程度を地表に突設させておく。
芯杭１１の露出部に支柱本体１２の下部を外装し、連結ビス１３を螺着して支柱本体１２を芯杭１１に分離不能に固定して一体化して支柱ユニット１０を立設する。
この際、支柱本体１２の下部を地中に埋没する深さまで貫入させておくことが望ましい。
支柱本体１２を直接地中に打設するのではなく、先行して打設した芯杭１１に外装するだけの簡単な作業により支柱本体１２を立設することができる。
支柱本体１２の立設直前又は立設直後に、支柱本体１２の頭部に支承ボルト５０を取り付けると共に、支柱本体１２の途中に掛止ブラケット１６をボルト止めして取り付ける。
【００２６】
＜２＞菱形金網の展張
隣り合う一対の支柱ユニット１０，１０間に、各列線３１，３２，３２・・・を横向きにした状態で菱形金網３０を展張する。
【００２７】
＜２．１＞胴縁竿の固定
図６，７に示すように、菱形金網３０の最上辺の網目に沿って挿入した胴縁竿２０の両端部を支柱ユニット１０の掛止ブラケット１６に係留し、隣り合う支柱ユニット１０間に菱形金網３０の上辺を垂下する。
隣接するスパンの菱形金網３０も同様に胴縁竿２０の両端部を同一の掛止ブラケット１６に共有させて係留する。
掛止ブラケット１６の一対の起立片１６ｃ，１６ｄの間にナット５４を介在させて２本のボルト５３，５５を両側から螺着して２本の胴縁竿２０，２０の外れを防止する。
本例では菱形金網３０の最上辺に位置するらせん状の列線３１を大径に形成することで、曲げ耐力の大きい大径の胴縁竿２０を使用できる。
【００２８】
＜２．２＞菱形金網の裾部の固定
図２，３に示すように、地表に接する展張部３３の下辺をアンカーピン３５で固定すると共に、地面に沿って敷設した敷設部３４をアンカーピン３５で固定する。
菱形金網３０と支柱本体１２の重合部は結束線等で固定する。
【００２９】
＜３＞ブレースの取り付け
図２に示すように、各支柱ユニット１０の頭部の支承ボルト５０と胴縁竿２０の中央部の間にブレース４０を張設する。ブレース４０と胴縁竿２０との間はクリップ等の連結具４１で固定する。
以上の作業を支柱ユニット１０のスパン単位で行うことで簡易防獣柵を構築する。
【００３０】
＜４＞菱形金網の支持力について
本考案では菱形金網３０の上辺を剛性の高い胴縁竿２０で支持すると共に、胴縁竿２０の中央をブレース４０で吊り上げている。
換言すると本考案の簡易防獣柵は、最上位の胴縁竿２０の曲げ強度と、支柱ユニット１０から反力を得たブレース４０の引張力とにより菱形金網３０の重量を支持する構造である。
そのため、冬季に菱形金網３０に冠雪した場合であっても、胴縁竿２０の下方へ向けた撓み変形を効果的に阻止できるので、菱形金網３０の撓み変形も確実に防止できる。
【００３１】
＜５＞簡易防獣柵の移設について
簡易防獣柵を移設する場合は、支柱ユニット１０から菱形金網３０を取り外す。
つぎに芯杭１１から支柱本体１２を抜き取り、最後に芯杭１１を抜き取るだけの簡単な作業で簡易防獣柵を解体できる。
移設先では、撤去した資材を用い既述した組立作業を行うことで簡単に簡易防獣柵を移設できる。
【実施例２】
【００３２】
図８を参照してピアスビス５６を用いて２本の胴縁竿２０，２０の横移動を規制した他の実施例について説明する。
開放された上口を通じて掛止ブラケット１６の水平面１６ｂに２本の胴縁竿２０，２０を載置し、長ナット５４を共有する取付ボルト５３と閉鎖ボルト５５とにより、胴縁竿２０，２０の上方へ向けた変位を拘束する。
つぎに、掛止ブラケット１６の他方の起立面１６ｃの外方からピアスビス５５を差し込み、２本の胴縁竿２０，２０にねじ込むことで、掛止ブラケット１６に搭載した２本の胴縁竿２０，２０の横移動を防止する。
本例にあっては、胴縁竿２０，２０の上方へ向けた変位拘束だけでなく、胴縁竿２０の長手方向へ向けた変位も確実に拘束できる、といった利点がある。
【符号の説明】
【００３３】
１０・・・支柱ユニット
１１・・・芯杭
１２・・・支柱本体
１４・・・余長部
１６・・・掛止ブラケット
２０・・・胴縁竿
３０・・・菱形金網
３１・・・最上位の列線
３２・・・他の列線
３３・・・展張部
３４・・・敷設部
３５・・・アンカーピン
４０・・・ブレース
【図１】
0003203468.tif 000003
【図２】
0003203468.tif 000004
【図３】
0003203468.tif 000005
【図４】
0003203468.tif 000006
【図５】
0003203468.tif 000007
【図６】
0003203468.tif 000008
【図７】
0003203468.tif 000009
【図８】
0003203468.tif 000010